(57)【要約】【課題】精密電子機器の形状に依存することなく、誰もが迅速かつ同程度の品質で梱包でき、精密電子機器を安全に輸送できる繰り返し使用可能な梱包ケースを提供する。【解決手段】上面が開口したケース本体１と、ケース本体に対しケース本体を閉じた状態に固定され得る蓋体２と、一対の取っ手１２と、ケース本体の内側底面に固定されて十字状にのびる一対の結束バンド１３、１４と、ケース本体内に嵌め込まれ、内部に被梱包物を保持可能な第１の緩衝体１６と、蓋体内に嵌め込まれた第２の緩衝体２２を備える。第１の緩衝体は、底壁と、角筒状の側壁１８ａ、１８ｂと、底壁および側壁によって囲まれたスペースに嵌合される上壁１９とからなる。底壁の各側縁と側壁との間の隙間を通って結束バンドが突出する。被梱包物が、底壁内面上に置かれた後、その上から上壁が被せられた状態で、結束バンドによってケース本体に十字状に固定される。【選択図】図１
2017056987.tif 000002
【特許請求の範囲】
【請求項１】
底面が矩形状をなし、上面が開口した箱体からなるケース本体と、
前記ケース本体の上面開口を開閉可能な蓋体と、を備え、前記蓋体は、前記ケース本体の上面開口に対応した下面開口を有する矩形箱状をなしていて、前記蓋体の下面開口が前記ケース本体の上面開口に対向する配置で前記ケース本体の上面開口を閉じるようになっており、さらに、
前記ケース本体および前記蓋体に設けられ、前記蓋体を前記ケース本体に対し前記ケース本体の上面開口を閉じた状態に固定する固定手段と、
前記蓋体または前記ケース本体の一外側面と、前記蓋体または前記ケース本体の前記一外側面と反対側の外側面とに取り付けられた一対の取っ手と、
前記ケース本体の内側底面の中央に固定されて十字状にのびる一対の結束バンドと、
前記ケース本体の内部空間に対応する形状をなし、前記ケース本体内に前記ケース本体との間に隙間が生じることなく嵌め込まれ、内部に被梱包物を保持可能な第１の緩衝体と、を備え、
前記第１の緩衝体は、
直方体形状の底壁と、
前記底壁の周囲を包囲する角筒状の側壁と、
前記底壁および前記側壁によって囲まれたスペースに対応する直方体形状を有する上壁と、からなり、
少なくとも前記上壁が前記底壁および前記側壁とは別体として形成され、前記底壁の各側縁と前記側壁との間にはそれぞれ隙間またはスリットが設けられ、前記結束バンドが前記隙間または前記スリットを通って上向きに突出し、前記被梱包物が、前記底壁内面上に置かれた後、その上から前記上壁が被せられた状態で、前記結束バンドによって前記ケース本体に十字状に締め付け固定されるようになっており、さらに、
前記蓋体の内部空間に対応する形状をなすとともに、前記蓋体内に前記蓋体との間に隙間が生じることなく嵌め込まれた第２の緩衝体を備えたものであることを特徴とする梱包ケース。
【請求項２】
前記第１の緩衝体の前記底壁と前記側壁とが互いに別体として形成され、前記底壁および前記側壁は互いに着脱自在に接合されていることを特徴とする請求項１に記載の梱包ケース。
【請求項３】
前記第１の緩衝体の前記側壁が、互いに間隔をあけて平行にのびる一対の直方体形状の第１の側壁部分と、前記一対の第１の側壁部分の対向する側縁間にのびる平行な一対の直方体形状の第２の側壁部分とから構成され、前記第１および第２の側壁部分のそれぞれが前記底壁に対し着脱自在に接合されていることを特徴とする請求項２に記載の梱包ケース。
【請求項４】
前記第１の緩衝体の前記底壁が、軟質の上層および硬質の下層からなる２層構造を有し、前記第１の緩衝体の前記側壁は前記底壁の下層と同じ硬度を有する一方、前記上壁は前記底壁の上層と同じ硬度を有していることを特徴とする請求項１〜請求項３のいずれかに記載の梱包ケース。
【請求項５】
前記蓋体の下端一側縁と前記ケース本体の上端一側縁がヒンジ手段によって互いに連結されていることを特徴とする請求項１〜請求項４のいずれかに記載の梱包ケース。
【請求項６】
前記第２の緩衝体は、
別の被梱包物を収容する少なくとも１つの凹部と、
前記第２の緩衝体または前記蓋体またはその両方に取り付けられた、前記凹部を開閉可能なシートカバーと、
前記第２の緩衝体および前記シートカバーに取り付けられ、前記シートカバーを前記第２の緩衝体に対し前記凹部を閉じた状態に固定する第２の固定手段と、を備えていることを特徴とする請求項１〜請求項５のいずれかに記載の梱包ケース。
【発明の詳細な説明】
【技術分野】
【０００１】
本発明は、引っ越しまたは修理に際し、精密機器、特にパソコン等の精密電子機器を安全に輸送するための梱包ケースに関するものである。
【背景技術】
【０００２】
パソコン等の精密電子機器は衝撃や振動によって損傷を受けやすく、そのため、その輸送に際しては、これらの精密電子機器に衝撃や振動ができるだけ及ぼされないように細心の注意を払う必要がある。
【０００３】
そして、従来技術においては、引っ越しあるいは修理のためにこの種の精密電子機器が引っ越し業者や宅配業者によって輸送される場合には、精密電子機器の輸送専用の梱包ケースが使用される。
【０００４】
従来のこの種の梱包ケースとしては、例えば、それぞれ中央開口が弾性フィルムによって被覆された上下フィルム枠体と、容器とを備え、上下フィルム枠体間に精密電子機器を挟んだ状態で容器内に収容し、精密電子機器を梱包するようにしたものがある（例えば、特許文献１等参照）。
【０００５】
この梱包ケースによれば、弾性フィルムは柔軟性に優れているので、精密電子機器の形状に依存することなく、精密電子機器を上下フィルム枠体間に挟んで、それを容器内に収容するだけで、誰が梱包しても、迅速にかつ同程度の品質で梱包することができる。
【０００６】
しかしながら、この構成によれば、輸送中に精密電子機器を容器内の定位置に固定することはできるものの、精密電子機器を挟持した上下フィルム枠体と容器との間に適切な緩衝部が存在しないので、外部から容器に及ぼされる衝撃や振動がそのまま精密電子機器に伝わりやすい。
加えて、弾性フィルムは、一度使用されて伸張すると元の状態に戻らないので、繰り返し使用ができないという欠点を有している。
【０００７】
また、従来技術においては、繰り返し使用可能な梱包ケースがこれまでに提案されている。
この種の梱包ケースとしては、例えば、折り畳み式の箱体の内底板に緩衝材を敷設するとともに、面ファスナーを配置し、緩衝材の上に精密電子機器を載置した後、面ファスナーによって精密電子機器を固定するようにした梱包ケース（例えば、特許文献２等参照）や、折り畳み式の箱体の内面の所定箇所に、緩衝部材を面ファスナーによって着脱自在に取り付けるようにした梱包ケース（例えば、特許文献３等参照）がある。
【０００８】
しかしながら、前者においては、精密電子機器は面ファスナーのみによって箱体内に固定されるので、輸送中の衝撃や振動等によって面ファスナーが緩んだ場合に、精密電子機器が箱体内で荷崩れして転動し、損傷するおそれがあり、後者においては、梱包作業に手間がかかり、さらには、対応可能な精密電子機器の形状が限られるという問題がある。
【先行技術文献】
【特許文献】
【０００９】
【特許文献１】特開２０１３−７９０８１号公報
【特許文献２】特開２００３−３４３２４号公報
【特許文献３】特開２００９−１０２０５３号公報
【発明の概要】
【発明が解決しようとする課題】
【００１０】
したがって、本発明の課題は、精密電子機器の形状に依存せずに、誰もが迅速かつ同程度の品質で梱包でき、しかも精密電子機器を安全に輸送できる繰り返し使用可能な梱包ケースを提供することにある。
【課題を解決するための手段】
【００１１】
上記課題を解決するため、本発明は、底面が矩形状をなし、上面が開口した箱体からなるケース本体と、前記ケース本体の上面開口を開閉可能な蓋体と、を備え、前記蓋体は、前記ケース本体の上面開口に対応した下面開口を有する矩形箱状をなしていて、前記蓋体の下面開口が前記ケース本体の上面開口に対向する配置で前記ケース本体の上面開口を閉じるようになっており、さらに、前記ケース本体および前記蓋体に設けられ、前記蓋体を前記ケース本体に対し前記ケース本体の上面開口を閉じた状態に固定する固定手段と、前記蓋体または前記ケース本体の一外側面と、前記蓋体または前記ケース本体の前記一外側面と反対側の外側面とに取り付けられた一対の取っ手と、前記ケース本体の内側底面の中央に固定されて十字状にのびる一対の結束バンドと、前記ケース本体の内部空間に対応する形状をなし、前記ケース本体内に前記ケース本体との間に隙間が生じることなく嵌め込まれ、内部に被梱包物を保持可能な第１の緩衝体と、を備え、前記第１の緩衝体は、直方体形状の底壁と、前記底壁の周囲を包囲する角筒状の側壁と、前記底壁および前記側壁によって囲まれたスペースに対応する直方体形状を有する上壁と、からなり、少なくとも前記上壁が前記底壁および前記側壁とは別体として形成され、前記底壁の各側縁と前記側壁との間にはそれぞれ隙間またはスリットが設けられ、前記結束バンドが前記隙間または前記スリットを通って上向きに突出し、前記被梱包物が、前記底壁内面上に置かれた後、その上から前記上壁が被せられた状態で、前記結束バンドによって前記ケース本体に十字状に締め付け固定されるようになっており、さらに、前記蓋体の内部空間に対応する形状をなすとともに、前記蓋体内に前記蓋体との間に隙間が生じることなく嵌め込まれた第２の緩衝体を備えたものであることを特徴とする梱包ケースを構成したものである。
【００１２】
上記構成において、好ましくは、前記第１の緩衝体の前記底壁と前記側壁とが互いに別体として形成され、前記底壁および前記側壁は互いに着脱自在に接合されており、より好ましくは、前記第１の緩衝体の前記側壁が、互いに間隔をあけて平行にのびる一対の直方体形状の第１の側壁部分と、前記一対の第１の側壁部分の対向する側縁間にのびる平行な一対の直方体形状の第２の側壁部分とから構成され、前記第１および第２の側壁部分のそれぞれが前記底壁に対し着脱自在に接合されている。
【００１３】
また、前記第１の緩衝体の前記底壁が、軟質の上層および硬質の下層からなる２層構造を有し、前記第１の緩衝体の前記側壁は前記底壁の下層と同じ硬度を有する一方、前記上壁は前記底壁の上層と同じ硬度を有していることが好ましい。
前記蓋体の下端一側縁と前記ケース本体の上端一側縁がヒンジ手段によって互いに連結されていることが、また好ましい。
また、前記第２の緩衝体は、別の被梱包物を収容する少なくとも１つの凹部と、前記第２の緩衝体または前記蓋体またはその両方に取り付けられた、前記凹部を開閉可能なシートカバーと、前記第２の緩衝体および前記シートカバーに取り付けられ、前記シートカバーを前記第２の緩衝体に対し前記凹部を閉じた状態に固定する第２の固定手段と、を備えていることが好ましい。
【発明の効果】
【００１４】
本発明によれば、梱包ケースを開き、被梱包物を第１の緩衝体の底壁内面上に置き、上から第１の緩衝体の上壁を被せ、その上から結束バンドで十字状にケース本体に固定し、梱包ケースを閉じ、閉じた状態に固定するだけで、極めて簡単に、かつ誰もが同程度の品質で被梱包物を梱包することができる。
しかも、この梱包状態において、被梱包物は、ほぼ全体が第１の緩衝体の底壁および上壁によって包み込まれた状態で、その上から一対の結束バンドによってケース本体に固定され、さらにその周囲が第１の緩衝体の側壁によって包囲される。さらには、第１および第２の緩衝体が上下に密着することで、第１の緩衝体の底壁および上壁によって包み込まれた被梱包物は、梱包ケース内部において第１および第２の緩衝体によって包囲された状態で固定される。
したがって、被梱包物が梱包ケース内で荷崩れするおそれもないし、梱包ケースの外部から衝撃が及ぼされても、それが被梱包物に直接伝わることがなく、被梱包物を損傷させることなく安全に輸送することができる。
【図面の簡単な説明】
【００１５】
【図１】本発明の１実施例による梱包ケースを開いた状態の斜視図である。
【図２】図１の梱包ケースを閉じた状態の図であり、（Ａ）は正面図であり、（Ｂ）は背面図である。
【図３】図１の梱包ケースから第１の緩衝体を取り外した状態を示す図１に類似の図である。
【図４】図１の梱包ケースの第１の緩衝体の分解斜視図である。
【図５】図１の梱包ケースを使用方法を説明する斜視図である。なお、図中、第１の緩衝体の上壁は省略してある。
【発明を実施するための形態】
【００１６】
以下、本発明の構成を、添付図面を参照しつつ好ましい実施例に基づいて説明する。
図１は、本発明の１実施例による梱包ケースを開いた状態の斜視図である。また、図２は、図１の梱包ケースを閉じた状態の図であり、（Ａ）は正面図であり、（Ｂ）は背面図である。また、図３は、図１の梱包ケースから第１の緩衝体を取り外した状態を示す図１に類似の図である。
【００１７】
図１〜図３を参照して、本発明によれば、底面が矩形状をなし、上面が開口した箱体からなるケース本体１と、ケース本体１の上面開口を開閉可能な蓋体２が備えられる。蓋体２は、ケース本体１の上面開口に対応した下面開口を有する矩形箱状をなしている。
【００１８】
ケース本体１および蓋体２は、それぞれ、プラスチック段ボールを組み立てて箱形状とし、その全体を不透明な合成樹脂製シート（例えば、ポリエチレンシート）で被覆し、さらに、ケース本体１の上端縁および蓋体２の下端縁に、プラスチック製フレーム３、４を嵌め込んで固定したものからなっている。
なお、ケース本体１および蓋体２の形成材料および構成はこの実施例に限定されず、ケース本体１および蓋体２は、それぞれ、軽量で、一定程度の強度を備え、耐水性を有する適当な公知の材料から形成された箱体であればよい。
【００１９】
そして、図２（Ｂ）に示すように、蓋体２の下端周縁とケース本体１の上端周縁とが当接した状態（ケース本体１の上面開口が蓋体２によって閉じられた状態）で、互いに隣接する蓋体２のフレーム４の一側部分４ａおよびケース本体１のフレーム３の一側部分３ａが、ヒンジ手段５によって互いに連結され、蓋体２がケース本体１の上端一側縁のまわりに回動可能になっている。
【００２０】
ヒンジ手段５は、この実施例では、合成繊維の織物からなり、フレーム３の一側部分３ａおよびフレーム４の一側部分４ａを跨いで当該一側部分３ａ、４ａの長手方向にのびるストリップ５ａと、ストリップ５ａの長手方向に間隔をあけた位置において、ストリップ５ａをフレーム３の一側部分３ａおよびフレーム４の一側部分４ａに固定するリベット５ｂとからなっている。
【００２１】
ケース本体１のフレーム３の一側部分３ａに対向する側部分３ｂには、細長い矩形状の第１のフラップ６が取り付けられ、側部分３ｂの長手方向にのびている。また、第１のフラップ６は、短手方向に、ケース本体１が蓋体２によって閉じられた状態で、蓋体２のフレーム４を超える長さを有していて、第１のフラップ６における蓋体２の外側面に対向する面に面ファスナー７が取り付けられる一方、図示はしないが、蓋体２の対応する外側面領域にそれと対をなす面ファスナーが取り付けられている。
【００２２】
同様に、蓋体２のフレーム４の一側部分４ａに直交する一対の側部分４ｂ、４ｃには、それぞれ、細長い矩形状の第２のフラップ８が取り付けられ、関係する側部分４ｂ、４ｃの長手方向にのびている。第２のフラップ８は、短手方向に、ケース本体１が蓋体２によって閉じられた状態で、ケース本体１のフレーム３を超える長さを有していて、第２のフラップにおけるケース本体１の外側面に対向する面に面ファスナー９ａが取り付けられる一方、ケース本体１の対応する外側面領域にそれと対をなす面ファスナー９ｂが取り付けられている。
【００２３】
また、ケース本体１の外側面における第１のフラップ６の下側領域中央には、バックルの受け部１０ａがリベット１１によって取り付けられる一方、蓋体２の上面における第１のフラップ６側の側縁の中央には、バックルの受け部１０ａに係合し得るロック爪部１０ｂがリベットによって取り付けられる。なお、この場合、バックルの受け部１０ａおよびロック爪部１０ｂの取付けを逆にしてもよいことは言うまでもない。
【００２４】
そして、第１のフラップ６、面ファスナー７、第２のフラップ８、面ファスナー９ａ、９ｂ、およびバックル（受け部１０ａとロック爪部１０ｂ）から、蓋体２をケース本体１に対しケース本体１の上面開口を閉じた状態に固定する固定手段が構成されている。
なお、固定手段の構成はこの実施例に限定されず、固定手段は、蓋体２をケース本体１に対しケース本体の上面開口を閉じた状態に固定可能な任意の構成をとり得る。
【００２５】
また、ケース本体１におけるバックルの受け部１０ａが取り付けられた外側面と、ヒンジ手段５が取り付けられた外側面に、一対の取っ手１２が取り付けられている。
取っ手１２は、この実施例では、合成繊維の織物からなるストリップ１２ａを逆Ｕ字状に湾曲させ、その両端をケース本体の外側面にリベット１２ｂによって固定したものからなっている。
【００２６】
また、図３に示すように、ケース本体の内側底面の中央には、一対の結束バンド１３、１４がリベット１５によって十字状に固定されている。
一対の結束バンド１３、１４のそれぞれの一端部の一面側および他端部の他面側には一対の面ファスナー１３ａ、１３ｂ；１４ａ、１４ｂが取り付けられている。
【００２７】
本発明によれば、さらに、ケース本体１の内部空間に対応する形状をなし、ケース本体１内にケース本体１との間に隙間が生じることなく嵌め込まれ、内部に被梱包物を保持可能な第１の緩衝体１６が備えられる。
【００２８】
図４は、第１の緩衝体１６の構成を示す分解斜視図である。
図４を参照して、第１の緩衝体１６は、直方体形状の底壁１７と、互いに平行な一対の第１の側壁部分１８ａと、一対の第１の側壁部分１８ａの対向する側縁間にのびる平行な一対の第２の側壁部分１８ｂと、第１および第２の側壁部分１８ａ、１８ｂおよび底壁１７の内側に形成されたスペースに対応する直方体形状を有する上壁１９と、から構成されている。
この実施例では、底壁１７、第１および第２の側壁部分１８ａ、１８ｂ、および上壁１９は、それぞれ、ウレタンフォームのブロックを合成繊維の織物で被覆したものからなっている。
【００２９】
第１および第２の側壁部分１８ａ、１８ｂのそれぞれの、底壁１７に対向する面の下部両側には面ファスナー２０ａが固定される一方、底壁１７の側面の対応する位置には、面ファスナー２０ａと対をなす面ファスナー２０ｂが固定されている。そして、第１および第２の側壁部分１８ａ、１８ｂがそれぞれ、面ファスナー２０ａ、２０ｂによって底壁１７に接合されるようになっている。
【００３０】
また、上壁１９の一側面と底壁１７の一側面とが、合成樹脂製シート２１によって接続されている。この場合、シート２１の一側側が上壁１９の側面に固定され、シート２１の底壁１７の側面に対向する面の先端部に、面ファスナー２１ａが取り付けられる。そして、底壁１７の側面の対応する領域には、面ファスナー２１ａと対をなす面ファスナーが取り付けられ、シート２１が面ファスナーによって底壁１７の側面に接合されるようになっている。
なお、シート２１は必要に応じて備えられる（上壁１９が常時底壁１７から分離していてもよい）。
【００３１】
底壁１７は、軟質の上層１７ａおよび硬質の下層１７ｂからなる２層構造を有し、第１および第２の側壁部分１８ａ、１８ｂは底壁１７の下層１７ｂと同じ硬度を有する一方、上壁１９は底壁の上層１７ａと同じ硬度を有している。
【００３２】
また、底壁１７の各側縁と各側壁部分１８ａ、１８ｂとの間に生じた隙間を通って、結束バンド１３、１４が収容スペース内に突出している。
【００３３】
この実施例では、第１の緩衝体１６を、底壁１７と、第１および第２の側壁部分１８ａ、１８ｂと、上壁１７とから構成したが、第１の緩衝体１６の構成は、この実施例に限定されず、少なくとも上壁１７が底壁１６および側壁１８ａ、１８ｂとは別体として形成されておればよい。
【００３４】
よって、例えば、第１および第２の側壁部分１８ａ、１８ｂを角筒状の側壁として一体形成し、当該角筒状の側壁を面ファスナーによって底壁に接合する構成としてもよいし、また、例えば、底壁と当該角筒状の側壁を一体形成してもよい。
なお、いずれの構成においても、底壁の各側縁と側壁との間に、結束バンドを挿通する隙間またはスリットが設けられている必要がある。
【００３５】
さらに、蓋体２の内部空間に対応する形状をなすとともに、蓋体２内に蓋体２との間に隙間が生じることなく嵌め込まれた第２の緩衝体２２が備えられる。
第２の緩衝体２２は、第１の緩衝体１６と同様、ウレタンフォームのブロックを合成繊維の織物で被覆したものから形成されており、別の被梱包物を収容する少なくとも１つの凹部（この実施例では、第１の凹部２３と、図示しない第２の凹部）を有している。
【００３６】
第１の凹部２３は、第１のシートカバー２４ａによって開閉可能になっている。第１のシートカバー２４ａは、メッシュ状に形成され、一側縁が第２の緩衝体２２の被覆織物に縫合されて片開き状になっており、他側縁の両側に、面ファスナー２５ａを備えている。
第２の凹部は、第２のシートカバー２４ｂによって被覆されている。第２のシートカバー２４ｂは、メッシュ状に形成され、一側縁を除く周縁が第２の緩衝体２２の被覆織物に縫合されている。そして、当該一側縁の裏面側と第２の緩衝体２２のそれに対向する部分とに、一対の面ファスナー（図示はしない）が取り付けられ、第２の凹部と第２のシートカバー２４ｂによって、当該一側縁を開口部とする収納ポケットが形成されている。
また、第２のシートカバー２４ｂにおける第１のシートカバー２４ａの面ファスナー２５ａと重なり合う部分には、それと対をなす面ファスナー２５ｂが取り付けられている。
【００３７】
図５は、本発明による梱包ケースの使用方法を説明する斜視図である。なお、明瞭にするために、図５中、第１の緩衝体１６の上壁１９は省略してある。
図５と図１を参照して、梱包ケースの使用時は、まず、梱包ケースが開かれ、被梱包物（デスクトップパソコンやノートパソコンの本体等）２６が第１の緩衝体１６の底壁１７内面上に置かれる。そして、被梱包物２６の上から第１の緩衝体１６の上壁１９が被せられた後、その上から結束バンド１３、１４が十字状に締結され、それによって被梱包物２６がケース本体１に固定される。
【００３８】
さらに、必要に応じて、別の被梱包物（デスクトップパソコンやノートパソコンの周辺機器等）２７が第２の緩衝体２２の第１の凹部２３に収容された後、凹部２３がシートカバー２４ａによって閉じられ、シートカバー２４ａが面ファスナー２５ａ、２５ｂによって第２の緩衝体２２に固定される。
また、図示はしないが、必要に応じて、さらに別の梱包物（保証書等）が、収納ポケット（カバーシート２４ｂおよび第２の凹部間）に入れられ、その開口が閉じられる。
【００３９】
被梱包物２６、２７の収容が完了すると、梱包ケースが閉じられ、第１および第２のフラップ６、８がそれぞれ面ファスナー７；９ａ、９ｂによって梱包ケースの外側面に固定され、また、バックルのロック爪部１０ｂが受け部１０ａに連結される。それによって、蓋体２がケース本体１に対しケース本体１を閉じた状態に固定され、被梱包物２６、２７の梱包が完了する。
【００４０】
こうして、本発明によれば、極めて簡単に、かつ誰もが同程度の品質で被梱包物２６、２７を梱包することができる。
しかも、梱包状態において、被梱包物２６は、ほぼ全体が第１の緩衝体１６の底壁１７および上壁１９に包み込まれた状態で、その上から結束バンド１３、１４によってケース本体１に固定され、さらにその周囲が第１の緩衝体１６の側壁１８ａ、１８ｂによって包囲される。
【００４１】
さらには、第１および第２の緩衝体１６、２２が上下に密着することで、第１の緩衝体１６の底壁１７および上壁１９によって包み込まれた被梱包物２６は、さらに、梱包ケース内部において第１および第２の緩衝体１６、２２によって包囲された状態で固定され、また、被梱包物２７は、梱包ケース内部において、第１および第２の緩衝体１６、２２によって包囲された状態で固定される。
【００４２】
したがって、被梱包物２６、２７が梱包ケース内で荷崩れするおそれもないし、梱包ケースの外部から衝撃が及ぼされても、それが被梱包物２６、２７に直接伝わることがなく、被梱包物２６、２７を損傷させることなく安全に輸送することができる。
【符号の説明】
【００４３】
１  ケース本体
２  蓋体
３  フレーム
３ａ、３ｂ  側部分
４  フレーム
４ａ〜４ｃ  側部分
５  ヒンジ手段
５ａ  ストリップ
５ｂ  リベット
６  第１のフラップ
７  面ファスナー
８  第２のフラップ
９ａ、９ｂ  面ファスナー
１０ａ  バックルの受け部
１０ｂ  バックルのロック爪部
１１  リベット
１２  取っ手
１２ａ  ストリップ
１２ｂ  リベット
１３、１４  結束バンド
１３ａ、１３ｂ；１４ａ、１４ｂ  面ファスナー
１５  リベット
１６  第１の緩衝体
１７  底壁
１７ａ  上層
１７ｂ  下層
１８ａ  第１の側壁部分
１８ｂ  第２の側壁部分
１９  上壁
２０ａ、２０ｂ  面ファスナー
２１  シート
２１ａ  面ファスナー
２２  第２の緩衝体
２３  第１の凹部
２４ａ  第１のシートカバー
２４ｂ  第２のシートカバー
２５ａ、２５ｂ  面ファスナー
２６、２７  被梱包物
【図１】
2017056987.tif 000003
【図２】
2017056987.tif 000004
【図３】
2017056987.tif 000005
【図４】
2017056987.tif 000006
【図５】
2017056987.tif 000007